(57)【要約】  【課題】小型化でき、かつ、フロックを破壊することなく円滑に汚水を処理できる汚水処理装置を提供すること。【解決手段】  全体１０が管状に形成されており、当該管状の全体１０の上流部に液入口部１１が形成され、当該全体１０の中間部に位置するように形成された攪拌部２１と、当該全体１０の下流部に位置するように形成された液出口部３１とを有し、液入口部１１はその横断面が円環状に形成されておりかつポンプで圧送された汚水が最初に流入する箇所とされ、攪拌部２１はその液通過面積が液入口部１１の液通過面積よりも大きくかつ横断面が四角環状に形成され、液出口部３１はその内径が液入口部１１よりも大径に形成されており、液入口部１１には薬注入部４１が接続されており、攪拌部２１には、第１邪魔板２５と、第２邪魔板２６と、第３邪魔板（２７，２８）とが設けられている。【選択図】      図１
2006110410.tif 000002
【特許請求の範囲】
【請求項１】
全体が管状に形成されており、当該管状の全体の上流部に液入口部が形成され、この液入口部に直列に接続され当該全体の中間部に位置するように形成された攪拌部と、この攪拌部に直列に接続されており当該全体の下流部に位置するように形成された液出口部とを有し、
前記液入口部はその横断面が円環状に形成されておりかつポンプで圧送された汚水が最初に流入する箇所とされ、前記攪拌部はその液通過面積が前記液入口部の液通過面積よりも大きくかつ横断面が四角環状に形成され、前記液出口部はその内径が前記液入口部の内径よりも大きな円環状に形成されており、
前記液入口部には、凝集剤を含む薬液を注入するための薬注入部が接続されており、
前記攪拌部には、汚水と薬剤との混合液を左右に分ける第１邪魔板と、この第１邪魔板で左右に分けられた混合液を中央部に集める第２邪魔板と、この第２邪魔板で中央に集められた混合液を左右に振って流す第３邪魔板とが、液流れ方向にこれらの順序で設けられていることを特徴とする汚水処理装置。  
【発明の詳細な説明】
【技術分野】
【０００１】
本発明は、汚水（天然の池の汚水や釣り堀の汚水等）を浄化処理するための汚水処理装置に関する。
【背景技術】
【０００２】
汚水処理装置として特許文献１に開示された装置がある。
【０００３】
特許文献１に係る汚水処理装置は、汚水（浚渫底質水）と疎水化剤とを混合する第１の混合器と、混合物と中和剤とを混合する第２の混合器と、混合物と高分子凝集剤とを混合する第３の混合器とを有し、汚水と各薬剤を段階的に混合して土粒子と水とを分離するものである。各混合器は、管で結ばれている。
【特許文献１】特開平１０−４９９号公報
【発明の開示】
【発明が解決しようとする課題】
【０００４】
しかし、特許文献１に係る汚水処理装置は、ダムや川の浚渫工事などで使われるものであり、大型化しやすい。因みに、各混合器を結ぶんでいる管は、長さが約３０ｍにもなる。また、特許文献１に係る汚水処理装置では、汚水と各薬剤を混合（攪拌）する力が強力であるため、かかる装置を有機物を含む汚水（天然の池の汚水や釣り堀の汚水等）の浄化のために使用すると、フロックを破壊してしまい、汚水の浄化処理が円滑に行かないことになる。
【０００５】
本発明の目的は、小型化でき、かつ、フロックを破壊することなく円滑に汚水を処理できる汚水処理装置を提供することにある。
【課題を解決するための手段】
【０００６】
上記目的を達成するために、本発明に係る汚水処理装置は、全体が管状に形成されており、当該管状の全体の上流部に液入口部が形成され、この液入口部に直列に接続され当該全体の中間部に位置するように形成された攪拌部と、この攪拌部に直列に接続されており当該全体の下流部に位置するように形成された液出口部とを有し、前記液入口部はその横断面が円環状に形成されておりかつポンプで圧送された汚水が最初に流入する箇所とされ、前記攪拌部はその液通過面積が前記液入口部の液通過面積よりも大きくかつ横断面が四角環状に形成され、前記液出口部はその内径が前記液入口部の内径よりも大きな円環状に形成されており、前記液入口部には、凝集剤を含む薬液を注入するための薬注入部が接続されており、前記攪拌部には、汚水と薬剤との混合液を左右に分ける第１邪魔板と、この第１邪魔板で左右に分けられた混合液を中央部に集める第２邪魔板と、この第２邪魔板で中央に集められた混合液を左右に振って流す第３邪魔板とが、液流れ方向にこれらの順序で設けられていることを特徴とする。  
【０００７】
上記構成の本発明によれば、全体が管状に形成されており、汚水を流動させながら薬剤（凝集剤等）と混合（攪拌）させるので、汚水の流動を利用して当該汚水と薬剤と混合（攪拌）できる、換言すれば流動と混合（攪拌）とが同時にできることになり、装置全体を小型化できる。また、汚水の流動を利用して当該汚水と薬剤と混合（攪拌）するので（すなわち、何らかの機械力を使って強力に混合しないので）、フロックを壊さず良好に浄化処理できる。
【発明の効果】
【０００８】
本発明によれば、全体が管状に形成され、汚水の流動を利用して当該汚水と薬剤と混合（攪拌）するので、装置全体を小型化できる。また、フロックを破壊することなく円滑に汚水を処理できる。
【発明を実施するための最良の形態】
【０００９】
以下、本発明の実施の形態を図面を参照しながら説明する。
【００１０】
本発明に係る汚水処理装置（パイプミキサー）は、有機物を含む汚水（特に、天然の池の汚水や釣り堀の汚水等）の浄化のために使用されるものであり、図１に示すように、全体１０が管状に形成されており、当該管状の全体１０の上流部に液入口部１１が形成され、この液入口部１１に直列に接続され当該全体１０の中間部に位置するように形成された攪拌部２１と、この攪拌部２１に直列に接続されており当該全体１０の下流部に位置するように形成された液出口部３１とを有する構成とされている。
【００１１】
具体的には、液入口部１１は、その横断面が円環状に形成されており、かつ、ポンプ５で圧送された汚水（Ｑ）が最初に流入する箇所とされている。この実施形態では、液入口部１１は、内径が８０ｍｍの円管とされている。この液入口部１１の側面部には、凝集剤を含む薬液（この実施形態では、高分子凝集剤や中和剤など）を注入するための薬注入部７が接続されている。
【００１２】
また、攪拌部２１は、その液通過面積（汚水と薬剤との混合液が通る面積）が上記液入口部１１の液通過面積（汚水と薬剤との混合液が通る面積、すなわち、内径部の横断面積）がよりも大きく、かつ、図２〜図５に示すように、内部に各邪魔板（２５，２６，２７，２８）を設けやすいように横断面が四角環状に形成されている。この実施形態では、攪拌部２１の外面形状は、４枚の鉄鋼製の長尺の板材の各長手方向側端部を合わせ、当該合わせ部分を溶接することにより横断面正方形の環状（この実施形態では、内側の一辺が１００ｍｍの正方形の環状）に形成されている。この攪拌部２１には、図２に示すように汚水と薬剤との混合液を左右に分ける第１邪魔板２６と、この第１邪魔板２６で左右に分けられた混合液を図３に示すように中央部に集める第２邪魔板２６と、この第２邪魔板２６で中央に集められた混合液を図４および図５に示すように左右に振って流す第３邪魔板（２７，２８）とが、液流れ方向にこれらの順序で設けられている〔すなわち、図１で右から、第１邪魔板２６、第２邪魔板２６、第３邪魔板（２７，２８）の順で設けられている〕。
【００１３】
液出口部３１は、その内径が液入口部１１の内径よりも大きな円環状に形成されており、かつ、装置全体１０の下流部に位置ように形成されている。この実施形態では、液出口部３１は、内径が１００ｍｍの円環状に形成されている。
【００１４】
上記した構成の本汚水処理装置では、全体１０が管状に形成されており、汚水を流動させながら薬剤（凝集剤等）と混合（攪拌）させるので、汚水の流動を利用して当該汚水と薬剤と混合（攪拌）できる、換言すれば流動と混合（攪拌）とが同時にできることになり、装置全体を小型化できる。なお、全体１０の下流に行くほど液通過面積が大きくなっているので、混合液の圧力の損失を最小限に抑えることができる。
【００１５】
また、汚水の流動を利用して当該汚水と薬剤と混合（攪拌）するので（すなわち、何らかの機械力を使って強力に混合しないので）、フロックを壊さず良好に浄化処理できる。
【図面の簡単な説明】
【００１６】
【図１】本発明に係る汚水処理装置の長手方向の断面を示す図である。
【図２】第１邪魔板の図１のＸ１−Ｘ１線による横断面を示す図である。
【図３】第２邪魔板の図１のＸ２−Ｘ２線による横断面を示す図である。
【図４】第３邪魔板の図１のＸ３−Ｘ３線による横断面を示す図である。
【図５】第３邪魔板の図１のＸ４−Ｘ４線による横断面を示す図である。
【符号の説明】
【００１７】
７  薬注入部
１０    全体
１１    液入口部
２１    攪拌部
２５    第１邪魔板
２６    第２邪魔板
２７，２８  第３邪魔板
３１    液出口部
【図１】
2006110410.tif 000003
【図２】
2006110410.tif 000004
【図３】
2006110410.tif 000005
【図４】
2006110410.tif 000006
【図５】
2006110410.tif 000007